(57)【要約】【課題】スペーサー無しでリールシートを確実に装着できる釣竿を提供する。【解決手段】本発明は、後部にグリップ領域２を有し、かつそのグリップ領域２よりも前方の領域であるグリップ前方領域３が前端側から後端側にかけて全体的に外径寸法が大きくなる竿本体１を備え、グリップ領域２の前側部に外装体被着領域２１が設けられるとともに、その外装体被着領域２１に、リールシート５を含む外装体が外嵌状態に被着される釣竿を対象とする。グリップ前方領域３における外装体被着領域２１の近傍に急テーパー領域４が設けられる。竿本体１における長さ方向の単位長さあたりの外径寸法の変化量を拡径率としたとき、急テーパー領域２１は、その急テーパー領域２１よりも前方の領域に比べて、拡径率が急激に大きくなるように形成されている。【選択図】図１
2020114180.tif 000002
【特許請求の範囲】
【請求項１】
後部にグリップ領域を有し、かつそのグリップ領域よりも前方の領域であるグリップ前方領域が前端側から後端側にかけて全体的に外径寸法が大きくなる竿本体を備え、前記グリップ領域の前側部に外装体被着領域が設けられるとともに、その外装体被着領域に、リールシートを含む外装体が外嵌状態に被着される釣竿において、
前記グリップ前方領域における前記外装体被着領域の近傍に急テーパー領域が設けられ、
前記竿本体における長さ方向の単位長さあたりの外径寸法の変化量を拡径率としたとき、前記急テーパー領域は、その急テーパー領域よりも前方の領域に比べて、拡径率が急激に大きくなるように形成されていることを特徴とする釣竿。
【請求項２】
前記急テーパー領域の拡径率が１．２％〜１０．０％に設定されている請求項１に記載の釣竿。
【請求項３】
前記急テーパー領域の後端から前記外装体被着領域の前端までの間隔が１００ｍｍ以下に設定されている請求項１または２に記載の釣竿。
【請求項４】
前記急テーパー領域の長さ寸法が４０ｍｍ〜２５０ｍｍに設定されている請求項１〜３のいずれか１項に記載の釣竿。
【請求項５】
前記竿本体におけるその前端から前記急テーパー領域の前端までの平均の拡径率が０．２％〜０．８％に設定されている請求項１〜４のいずれか１項に記載の釣竿。
【発明の詳細な説明】
【技術分野】
【０００１】
この発明は、リールを取り付けるためのリールシートを備えた釣竿に関する。
【背景技術】
【０００２】
従来、竿本体に筒状のリールシートが装着された釣竿は周知である（特許文献１，２等）。例えば図３に示す従来の釣竿は、竿本体１０１における後部（基端側）のグリップ領域１０２の前側部に、リールシート１０５等の筒状の外装体を外嵌状態に装着するための外装体被着領域１０３が設けられ、その外装体被着領域１０３にリールシート１０５等の外装体が取り付けられている。このような釣竿において、小径（細径）タイプのものでは、大径（太径）タイプの釣竿に比べて、竿全体の太さが細くなるため当然のことながら、竿本体１０１における外装体被着領域１０３の径寸法も小さくなる。
【０００３】
その一方、リールシート１０５の内径はある程度大きさが定められているため、小径タイプの釣竿に、リールシート１０５を安定状態に装着する場合には図３に示すように、竿本体１０１の外装体装被着領域１０３にスペーサー１０６を介してリールシート１０５を取り付けるのが一般的である。
【先行技術文献】
【特許文献】
【０００４】
【特許文献１】特開２０１６−２１４１１０号
【特許文献２】特許第５９７２４１６号
【発明の開示】
【発明が解決しようとする課題】
【０００５】
しかしながら、図３に示す上記従来の釣竿では、スペーサー１０６を介してリールシート１０５を取り付けるようにしているため、スペーサー１０６を取り付ける分、竿全体の重量が増加し、釣竿の操作性が低下するおそれがあるという課題があった。さらにスペーサー１０６を取り付けるとその分、釣竿を構成する部品点数も増加するため、構造の複雑化を来たし、製作も困難になるという課題もあった。
【０００６】
この発明は、上記の課題に鑑みてなされたものであり、操作性の向上を図りつつ、容易に製作することができる釣竿を提供することを目的とする。
【課題を解決するための手段】
【０００７】
上記目的を達成するため、本発明は、以下の手段を提供するものである。
【０００８】
［１］後部にグリップ領域を有し、かつそのグリップ領域よりも前方の領域であるグリップ前方領域が前端側から後端側にかけて全体的に外径寸法が大きくなる竿本体を備え、前記グリップ領域の前側部に外装体被着領域が設けられるとともに、その外装体被着領域に、リールシートを含む外装体が外嵌状態に被着される釣竿において、
前記グリップ前方領域における前記外装体被着領域の近傍に急テーパー領域が設けられ、
前記竿本体における長さ方向の単位長さあたりの外径寸法の変化量を拡径率としたとき、前記急テーパー領域は、その急テーパー領域よりも前方の領域に比べて、拡径率が急激に大きくなるように形成されていることを特徴とする釣竿。
【０００９】
［２］前記急テーパー領域の拡径率が１．２％〜１０．０％に設定されている前項１に記載の釣竿。
【００１０】
［３］前記急テーパー領域の後端から前記外装体被着領域の前端までの間隔が１００ｍｍ以下に設定されている前項１または２に記載の釣竿。
【００１１】
［４］前記急テーパー領域の長さ寸法が４０ｍｍ〜２５０ｍｍに設定されている前項１〜３のいずれか１項に記載の釣竿。
【００１２】
［５］前記竿本体におけるその前端から前記急テーパー領域の前端までの平均の拡径率が０．２％〜０．８％に設定されている前項１〜４のいずれか１項に記載の釣竿。
【発明の効果】
【００１３】
発明［１］の釣竿によれば、リールシート等を装着するための外装体被着領域の手前に、拡径率が急激に大きくなる急テーパー領域を形成しているため、小径タイプの釣竿であっても、外装体被着領域の外径寸法を十分に大きく確保することができ、リールシート等を外装体被着領域にスペーサー等を用いずに安定状態に直接装着することができる。このようにスペーサーを省略できるためその分、釣竿全体の重量を軽減することができ、釣竿の操作性を向上させることができる。さらにスペーサーを省略できるため、釣竿を構成する部品点数も減少させることができ、構造の簡素化を図ることができて、製作も容易に行うことができる。
【００１４】
発明［２］〜［５］の釣竿によれば、上記の効果をより一層確実に得ることができる。
【図面の簡単な説明】
【００１５】
【図１】図１はこの発明の実施形態である釣竿のグリップ領域周辺を示す断面図である。
【図２】図２はこの発明の変形例である釣竿のグリップ領域周辺を示す断面図である。
【図３】図３は従来の釣竿のグリップ領域周辺を示す断面図である。
【発明を実施するための形態】
【００１６】
図１はこの発明の実施形態である釣竿のグリップ領域周辺を示す断面図である。なお図１においては発明の理解を容易にするため、特徴部を誇張して示している。具体的には釣竿の長さ方向に対し径方向の寸法を実際よりも大きく記載している（後述の図２においても同じである）。
【００１７】
図１に示すように本実施形態の釣竿は、ブランク（ブランクス）を構成する竿本体１を備えている。竿本体１は、全体的に前端側（先端側）から後端側（基端側）に向かうに従って、外径寸法が大きくなるように形成されている。さらに本実施形態において竿本体１は、後側（基端側）のグリップ領域２と、グリップ領域２よりも前方の領域によって構成されるグリップ前方領域３とを備えている。
【００１８】
グリップ領域２にはその前側部に、外装体被着領域２１が設けられている。この外装体被着領域２１には、筒状のリールシート５が外嵌状態に取り付けられるとともに、そのリールシート５の後側にリールシート５の後端面に接するようにして筒状のミドルグリップ６が外嵌状態に取り付けられている。
【００１９】
リールシート５にはトリガー５１が設けられている。なおこのリールシート５は、前側にフードが設置されるタイプのものである。
【００２０】
本実施形態において、外装体はリールシート５およびミドルグリップ６によって構成されている。このため、取り付けられたリールシート５の前端位置と、竿本体１の外装体被着領域２１の前端位置とは一致するとともに、ミドルグリップ６の後端位置と、外装体被着領域２１の後端位置とは一致している。さらに外装体被着領域２１の前端位置と、グリップ領域２の前端位置とは一致している。
【００２１】
なお本発明においては、外装体として、リールシート５の前方にフロントグリップ等を取り付ける場合には、そのフロントグリップが取り付けられる領域も、グリップ領域２および外装体被着領域２１に含まれることとなる。換言すると竿本体１における外装体被着領域２１の前方の領域（グリップ前方領域３）は、その領域３を被覆するような部材が設けられず、グリップ前方領域３の外周面が実質的に露出した状態となっている。
【００２２】
竿本体１のグリップ領域２において、リールシート５が取り付けられる領域は、外径寸法がほぼ一定に形成されている。さらにグリップ領域２におけるミドルグリップ６の前端付近からグリップエンドにかけての領域は、後方に向かうに従って徐々に外径寸法が大きくなるように形成されている。
【００２３】
なお本発明の釣竿においては、外装体被着領域２に少なくともリールシート５が被着されていれば良い。
【００２４】
一方、本実施形態の竿本体１においてグリップ前方領域３は、基端側（根元側）のバット３１と、中間部のベリー（図示省略）と、先端側（前端側）のティップ（図示省略）とを備え、バット３１はグリップ領域２の前方に隣接して配置されている。
【００２５】
本実施形態においては、グリップ前方領域３のバット３１における外装体被着領域２１の近傍（直近）に急テーパー領域４が設けられている。この急テーパー領域４は、グリップ前方領域３のうち、急テーパー領域４よりも前方の領域と比較して、拡径率が急激に大きくなっている。
【００２６】
ここで本実施形態において拡径率は、単位長さあたりの外径寸法の変化量によって求めることができる。具体的には、拡径率を求めるべき領域における竿本体長さ方向の寸法を「Ｘ（ｍｍ）」とし、当該拡径率を求めるべき領域における一端側と他端側との間の外径寸法（外直径φ）の変化量を「ΔＹ（ｍｍ）」としたとき、拡径率（％）は「ΔＹ／Ｘ」・１００で求めることができる。
【００２７】
例えば本実施形態において、急テーパー領域４の拡径率は、急テーパー領域４の長さを「Ｘ１」、急テーパー領域４の前端位置の外径寸法を「Ｙａ」、後端位置の外径寸法を「Ｙｂ」として、（Ｙｂ−Ｙａ）／Ｘ１の百分率（１００倍）で表すことができる。
【００２８】
ここで本実施形態においては、急テーパー領域４の拡径率は１．２％〜１０．０％に設定するのが良く、より好ましくは１．６％〜７．０％に設定するのが良く、より一層好ましくは２．０％〜５．０％に設定するのが良い。すなわち、急テーパー領域４の拡径率が大き過ぎる場合には、急テーパー領域４において竿本体１の外径が急激に変化することになり、釣竿操作時における竿の動きが悪くなるおそれがある。逆に拡径率が小さ過ぎる場合には、急テーパー領域４が長くなり、急テーパー領域４を精度良く確実に確保することが困難になるおそれがある。従って急テーパー領域４の拡径率を上記の特定範囲内に設定することによって、後述する効果をより確実に得ることができる。
【００２９】
なお本実施形態において、竿本体１における前端（穂先）から急テーパー領域３５の前端位置までの領域（急テーパー領域前方領域）の平均の拡径率は０．２％〜１．０％程度に設定されている。この急テーパー領域前方領域の拡径率は、急テーパー領域４の拡径率に対し１／１２０〜１／６０程度となっている。
【００３０】
また本実施形態においては、急テーパー領域４の後端位置から外装体被着領域２１の前端位置までの間隔（距離）を１００ｍｍ以下、より好ましくは７５ｍｍ〜１０ｍｍに設定するのが良い。すなわちこの間隔が長過ぎる場合には、ロッド領域３における大径部の長さが長くなり、釣竿操作時における竿の動きが悪くなるおそれがある。なおこの間隔を必要以上に短く設定しようとしても、特にメリットはなく、好ましくない。
【００３１】
さらに本実施形態においては、急テーパー領域４の長さ寸法は４０ｍｍ〜２５０ｍｍに設定するのが良く、より好ましくは７５ｍｍ〜９０ｍｍに設定するのが良い。すなわち急テーパー領域４の長さが短過ぎる場合には、急テーパー領域４において竿本体１の外径が急激に変化することになり、釣竿操作時における竿の動きが悪くなるおそれがある。逆に急テーパー領域４の長さが長過ぎる場合には、急テーパー領域４を精度良く確実に確保することが困難になるおそれがある。
【００３２】
以上のように、本実施形態の釣竿によれば、リールシート５等の外装体を装着するための外装体被着領域２１の手前に、拡径率が急激に大きくなる急テーパー領域４を形成しているため、小径タイプの釣竿であっても、外装体被着領域２１の外径寸法を十分に大きく確保することができる。このためリールシート５等を外装体被着領域２１に安定状態に直接装着することができ、スペーサー等を用いる必要がない。このようにリールシート５を外装体被着領域２１に直接装着できてスペーサーを省略できるためその分、釣竿全体の重量を軽減することができ、釣竿の操作性を向上させることができる。さらにスペーサーを省略できるため、釣竿を構成する部品点数も減少させることができ、構造の簡素化を図ることができて、製作を容易に行えるとともに、コストも削減することができる。
【００３３】
また本実施形態の釣竿においては、外装体被着領域２１の外径寸法を大きく確保できるため、外装体被着領域２１におけるリールシート５の後方に設けられるミドルグリップ６として、内径寸法が大きいものを採用することができる。つまりミドルグリップ６の肉厚を薄く形成することができるため、その分、軽量化を図ることができて、釣竿の操作性をより一層向上させることができる。
【００３４】
また本実施形態の釣竿においては、竿本体１における外装体被着領域２１の前方に急テーパー領域４を形成しているため、換言すれば、急テーパー領域４は露出されて、その急テーパー領域４には外装体が装着されないため、リールシート５等の外装体として、既存のものを支障なく採用できて、優れた汎用性を得ることができる。すなわち仮に、急テーパー領域４にリールシート５の前端部やフロントグリップ等の外装体を装着する場合には、急テーパー領域４の外周面形状に合わせて、リールシート５やフロントグリップ等の外装体の内周形状を変更する必要がある。これに対し、本実施形態の釣竿においては、拡径率が急変する急テーパー領域４に外装体を装着せずに、拡径率が急変しない一般的な構成の外装体被着領域２１に、外装体を装着するものである。このためリールシート５やフロントグリップ等の外装体の設計変更を行う必要がなく、既存の外装体をそのまま採用することができて、優れた汎用性を備えるものである。
【００３５】
なお上記実施形態の釣竿においては、外装体被着領域２１に、トリガー５１が設けられたリールシート５を装着する場合を例に挙げて説明したが、それだけに限られず、本発明の釣竿においては図２に示すように外装体被着領域２１に、トリガーが設けられていないトリガーレスタイプのリールシート５を装着することもできる。
【００３６】
また上記実施形態等においては、急テーパー領域４における拡径率が長さ方向の位置にかかわらず一定の場合を例に挙げて説明したが、それだけに限られず、本発明においては、急テーパー領域４における拡径率が長さ方向の位置に応じて変化するようにしても良い。例えば本発明においては、急テーパー領域４の拡径率が後方（基端側）に向かうに従って次第に大きくなったり、あるいは小さくなったりするようにしても良い。さらに本発明においては、急テーパー領域４が段階的（断続的）に大きくなるようにして、急テーパー領域４が階段状に形成されるようにしても良い。
【産業上の利用可能性】
【００３７】
この発明は、リールシートを備え、かつ比較的小径タイプの釣竿に好適に採用することができる。
【符号の説明】
【００３８】
１：竿本体（ブランク）
２：グリップ領域
２１：外装体被着領域
３：グリップ前方領域
４：急テーパー領域
５：リールシート
【図１】
2020114180.tif 000003
【図２】
2020114180.tif 000004
【図３】
2020114180.tif 000005